(57)【要約】【課題】制御具と受け具との相対位置を調整可能にすることにより、受け具の収容可能な硬貨数量が変更自在になる硬貨入れ装置を提供する。【解決手段】その回転ピンが、ケースと、規制具を有するベース部と、硬貨収容部を有する受け具と、蓋と、を順次に貫入するツマミを含み、ツマミが受け具と連動して回転するようになる硬貨入れ装置において、ツマミの回転ピンに制御具が設けてあり、制御具には、回転ピンが貫入する貫通孔と、止め部と、連動部とが設けてあり、制御具にある貫通孔の内側面に係合部が組付けてあり、制御具の連動部は、蓋の貫通孔と、受け具の貫通孔とを通過して、制御具の係合部を調整して位置決め部のある位置に係合可能であり、且つ制御具にある止め部の受け具にある硬貨収容部に収容される位置を同期に調整可能であることを特徴とする。【選択図】図３
0003129677.tif 000002
【実用新案登録請求の範囲】
【請求項１】
その回転ピンが、ケースと、規制具を有するベース部と、硬貨収容部を有する受け具と、蓋と、を順次に貫入するツマミを含み、前記ツマミが前記受け具と連動して回転するようになる硬貨入れ装置において、
前記ツマミの回転ピンに制御具が設けてあり、前記制御具には、前記回転ピンが貫入する貫通孔と、止め部と、連動部とが設けてあり、前記制御具にある貫通孔の内側面に係合部が組付けてあり、前記ツマミの回転ピンには、前記制御具の係合部に応じて若干の位置決め部が軸方向に沿って並んでおり、前記制御具の係合部が前記ツマミの位置決め部のうちの一つに係合し、前記制御具の止め部は、前記受け具の硬貨収容部に合せて収容され、且つ前記受け具と連動し、前記受け具には前記制御具の連動部に応じて貫通孔が開設してあり、前記規制具には前記受け具の硬貨収容部に応じてバネを持つ規制部が若干設けてあり、前記各規制部は、ベース部に規制され、前記ベース部に回動自在に組み付けられ、そのバネをそれぞれ前記ベース部に押付けると前記受け部の硬貨収容部へ回転可能になり、前記蓋には前記制御具の連動部に応じて貫通孔が開設してあり、
前記制御具の連動部は、前記蓋の貫通孔と、前記受け具の貫通孔とを通過して、制御具の係合部を調整して前記位置決め部のある位置に係合可能であり、且つ前記制御具にある止め部の前記受け具にある硬貨収容部に収容される位置を同期に調整可能であり、これにより、硬貨収容部の収容可能な硬貨数量を変更可能になることを特徴とする、
硬貨入れ装置。
【請求項２】
前記係合部は、貫通孔の半径方向へ伸縮可能なスチール玉であることを特徴とする、請求項１に記載の硬貨入れ装置。
【請求項３】
前記位置決め部は環状溝であることを特徴とする、請求項１に記載の硬貨入れ装置。
【請求項４】
前記位置決め部は４個あることを特徴とする、請求項１に記載の硬貨入れ装置。
【請求項５】
更に、前記蓋に調節具が脱着可能に組付けてあり、前記調節具の一端が制御具にある調節部に合わせられることを特徴とする、請求項１に記載の硬貨入れ装置。
【請求項６】
前記調節具の前記調節部と合う端には外ねじが成形してあり、なお、前記調節部はねじ穴であることを特徴とする、請求項５に記載の硬貨入れ装置。
【請求項７】
更に、前記ベース部には、硬貨の通過をスムーズにするための硬貨入れ斜面を持つ硬貨止め部が組み付けてあることを特徴とする、請求項１に記載の硬貨入れ装置。
【請求項８】
その回転ピンが、ケースと、規制具を有するベース部と、硬貨収容部を有する受け具と、蓋と、を順次に貫入するツマミを含み、前記ツマミが前記制御具および前記受け具と連動して回転するようになる硬貨入れ装置において、
前記ツマミの回転ピンに制御具が設けてあり、前記制御具には、前記回転ピンが貫入する貫通孔と、止め部と、ネック部とが設けてあり、前記止め部は、前記受け具の硬貨収容部に合せて収容され、前記受け具と連動し、更に、前記ベース部には、挟係具と、保持ピンと、バネとが組付けてあり、前記挟係具の一端が前記制御具のネック部を挟係し、前記保持ピンは、前記回転ピンの軸方向に応じて、前記挟係具の他端と前記ベース部とに貫入し、バネは、保持ピンに嵌められ、ベース部と挟係具との間に位置され、ベース部と挟係具とを付勢し、前記規制具には前記受け具の硬貨収容部に応じてバネを持つ規制部が若干設けてあり、前記各規制部は、ベース部に規制され、前記ベース部に回動自在に組み付けられ、そのバネをそれぞれ前記ベース部に押付けると前記受け部の硬貨収容部へ回転可能になり、前記蓋には、保持ピンの周側に環状の立設壁が成形してあり、前記立設壁には、保持ピンの軸方向へ凹み、且つ深さがそれぞれ異なる凹み部が若干に成形してあり、更に、保持ピンの前記蓋に延びた端には調節ツマミが組み付けてあり、前記調節ツマミに保持ピンが挿入して固定され、前記調節ツマミは、前記立設壁の凹み部に応じて凸部が成形してあり、前記凸部が前記立設壁の凹み部のうちの一つに係合され、
前記調節ツマミの凸部が前記立設壁の適当な深さを持つ凹み部に係合するように調節すると、前記調節ツマミと前記立設壁との相対距離が変更され、且つ前記調節ツマミが保持ピンと挟係具とを連動し、そして制御具が前記挟係具に連動され、これにより、前記制御具と前記受け具との相対位置を調節可能になり、硬貨収容部の収容可能な硬貨数量を変更可能になることを特徴とする、
硬貨入れ装置。
【請求項９】
前記位置決め部は４個あることを特徴とする、請求項８に記載の硬貨入れ装置。
【請求項１０】
前記凹み部は４個あり、且つ前記凹み部が環状の前記立設壁に等距離に凹設されることを特徴とする、請求項８に記載の硬貨入れ装置。
【請求項１１】
更に、前記ベース部には、硬貨の通過をスムーズにするための硬貨入れ斜面を持つ硬貨止め部が組み付けてあることを特徴とする、請求項８に記載の硬貨入れ装置。
【考案の詳細な説明】
【技術分野】
【０００１】
本考案は、硬貨入れ装置に係り、特に、硬貨の収容数量を変更可能な硬貨入れ装置に関するものである。
【背景技術】
【０００２】
図１と図２に示すように、従来の硬貨入れ装置１０は、ケース１１と、受け具１２１を有する制御部１２と、硬貨返却部１３とを含み、制御部１２と硬貨返却部１３とがケース１１に組み付けられ、ケース１１に硬貨を入れた後、硬貨が受け具１２１に収容されて、制御部１２によりガシャポンが落下し、又は硬貨返却部１３により硬貨が落下するが、受け具１２１に硬貨が一枚だけ収容可能であり、ガシャポンの価格が変更され、入れる必要な硬貨の数量が変更する場合には、新しい規格の金型を作製して硬貨入れ装置を作ることが必要であった。
【考案の開示】
【考案が解決しようとする課題】
【０００３】
本考案の主な目的は、制御具と受け具との相対位置を調整可能にすることにより、受け具の収容可能な硬貨数量が変更自在になる硬貨入れ装置を提供することにある。
【課題を解決するための手段】
【０００４】
上記目的を達成するためになされた本願の考案は、その回転ピンが、ケースと、規制具を有するベース部と、硬貨収容部を有する受け具と、蓋と、を順次に貫入するツマミを含み、前記ツマミが前記受け具と連動して回転するようになる硬貨入れ装置において、前記ツマミの回転ピンに制御具が設けてあり、前記制御具には、前記回転ピンが貫入する貫通孔と、止め部と、連動部とが設けてあり、前記制御具にある貫通孔の内側面に係合部が組付けてあり、前記ツマミの回転ピンには、前記制御具の係合部に応じて若干の位置決め部が軸方向に沿って並んでおり、前記制御具の係合部が前記ツマミの位置決め部のうちの一つに係合し、前記制御具の止め部は、前記受け具の硬貨収容部に合せて収容され、且つ前記受け具と連動し、前記受け具には前記制御具の連動部に応じて貫通孔が開設してあり、前記規制具には前記受け具の硬貨収容部に応じてバネを持つ規制部が若干設けてあり、前記各規制部は、ベース部に規制され、前記ベース部に回動自在に組み付けられ、そのバネをそれぞれ前記ベース部に押付けると前記受け部の硬貨収容部へ回転可能になり、前記蓋には前記制御具の連動部に応じて貫通孔が開設してあり、前記制御具の連動部は、前記蓋の貫通孔と、前記受け具の貫通孔とを通過して、制御具の係合部を調整して前記位置決め部のある位置に係合可能であり、且つ前記制御具にある止め部の前記受け具にある硬貨収容部に収容される位置を同期に調整可能であり、これにより、硬貨収容部の収容可能な硬貨数量を変更可能になることを特徴とする硬貨入れ装置であることを要旨としている。
【０００５】
本願の考案では、前記係合部は、貫通孔の半径方向へ伸縮可能なスチール玉であることを特徴とする請求項１に記載の硬貨入れ装置であることを要旨としている。
【０００６】
本願の考案では、前記位置決め部は環状溝であることを特徴とする請求項１に記載の硬貨入れ装置であることを要旨としている。
【０００７】
本願の考案では、前記位置決め部は４個あることを特徴とする請求項１に記載の硬貨入れ装置であることを要旨としている。
【０００８】
本願の考案では、更に、前記蓋に調節具が脱着可能に組付けてあり、前記調節具の一端が制御具にある調節部に合わせられることを特徴とする請求項１に記載の硬貨入れ装置であることを要旨としている。
【０００９】
本願の考案では、前記調節具の前記調節部と合う端には外ねじが成形してあり、なお、前記調節部はねじ穴であることを特徴とする請求項５に記載の硬貨入れ装置であることを要旨としている。
【００１０】
本願の考案では、更に、前記ベース部には、硬貨の通過をスムーズにするための硬貨入れ斜面を持つ硬貨止め部が組み付けてあることを特徴とする請求項１に記載の硬貨入れ装置であることを要旨としている。
【００１１】
本願の考案では、その回転ピンが、ケースと、規制具を有するベース部と、硬貨収容部を有する受け具と、蓋と、を順次に貫入するツマミを含み、前記ツマミが前記制御具および前記受け具と連動して回転するようになる硬貨入れ装置において、前記ツマミの回転ピンに制御具が設けてあり、前記制御具には、前記回転ピンが貫入する貫通孔と、止め部と、ネック部とが設けてあり、前記止め部は、前記受け具の硬貨収容部に合せて収容され、前記受け具と連動し、更に、前記ベース部には、挟係具と、保持ピンと、バネとが組付けてあり、前記挟係具の一端が前記制御具のネック部を挟係し、前記保持ピンは、前記回転ピンの軸方向に応じて、前記挟係具の他端と前記ベース部とに貫入し、バネは、保持ピンに嵌められ、ベース部と挟係具との間に位置され、ベース部と挟係具とを付勢し、前記規制具には前記受け具の硬貨収容部に応じてバネを持つ規制部が若干設けてあり、前記各規制部は、ベース部に規制され、前記ベース部に回動自在に組み付けられ、そのバネをそれぞれ前記ベース部に押付けると前記受け部の硬貨収容部へ回転可能になり、前記蓋には、保持ピンの周側に環状の立設壁が成形してあり、前記立設壁には、保持ピンの軸方向へ凹み、且つ深さがそれぞれ異なる凹み部が若干に成形してあり、更に、保持ピンの前記蓋に延びた端には調節ツマミが組み付けてあり、前記調節ツマミに保持ピンが挿入して固定され、前記調節ツマミは、前記立設壁の凹み部に応じて凸部が成形してあり、前記凸部が前記立設壁の凹み部のうちの一つに係合され、前記調節ツマミの凸部が前記立設壁の適当な深さを持つ凹み部に係合するように調節すると、前記調節ツマミと前記立設壁との相対距離が変更され、且つ前記調節ツマミが保持ピンと挟係具とを連動し、そして制御具が前記挟係具に連動され、これにより、前記制御具と前記受け具との相対位置を調節可能になり、硬貨収容部の収容可能な硬貨数量を変更可能になることを特徴とする硬貨入れ装置であることを要旨としている。
【００１２】
本願の考案では、前記位置決め部は４個あることを特徴とする請求項８に記載の硬貨入れ装置であることを要旨としている。
【００１３】
本願の考案では、前記凹み部は４個あり、且つ前記凹み部が環状の前記立設壁に等距離に凹設されることを特徴とする請求項８に記載の硬貨入れ装置であることを要旨としている。
【００１４】
本願の考案では、更に、前記ベース部には、硬貨の通過をスムーズにするための硬貨入れ斜面を持つ硬貨止め部が組み付けてあることを特徴とする請求項８に記載の硬貨入れ装置であることを要旨としている。
【考案の効果】
【００１５】
本考案の硬貨入れ装置によれば、制御具と受け具との相対位置を調整可能にすることにより、受け具の収容可能な硬貨数量が変更自在になる効果を有する。
【考案を実施するための最良の形態】
【００１６】
以下、添付図面を参照して本考案の好適な実施の形態を詳細に説明する。
【００１７】
本考案の硬貨入れ装置は、図３に示すように、ケース２０と、ツマミ３０と、ベース部４０と、制御具５０と、受け具６０と、蓋７０とを含む。
【００１８】
前記ツマミ３０は、回転ピン３１を有し、前記ツマミ３０にある回転ピン３１がケース２０に挿入され、回転ピン３１には若干の位置決め部３１１が軸方向に並んで成形され、本実施例では、位置決め部３１１が４個あり、各位置決め部３１１が環状溝である。
【００１９】
前記ベース部４０は、ケース２０に組み付けられ、ツマミ３０の回転ピン３１がそれに貫入され、且つ硬貨返却具４１と、硬貨止め部４２と、逆止具４３と、規制具４４とが組付けてあり、硬貨返却具４１と硬貨止め部４２との組合により硬貨を返却することができ、硬貨返却具４１を押して作動させるために、硬貨返却具４１の一部がケース２０の外部に突出し、硬貨の通過をスムーズにするために、硬貨止め部４２には硬貨入れ斜面４２１が設けてあり、逆止具４３は、ベース部４０に枢着され、且つバネ４３１を有し、バネ４３１をベース部４０に押付けると、逆止具４３が回転ピン３１の方向へ回転するようになり、規制具４４は、バネ４４２を有する硬貨真偽鑑定部４４１が若干に設けてあり、本実施例では、硬貨真偽鑑定部４４１が４個あり、各硬貨真偽鑑定部４４１は、ベース部４０に規制され、ベース部４０に回動自在に組み付けられ、各硬貨真偽鑑定部４４１は、そのバネ４４２がベース部４０に押付けられると、回転ピン３１の方向へ回転するようになる。
【００２０】
前記制御具５０は、貫通孔５１と、止め部５２と、調節部５３とを含み、ツマミ３０の回転ピン３１が貫通孔５１に挿入され、且つ前記制御具５０は回転ピン３１の各位置決め部３１１に対応し、貫通孔５１の内側面に係合部５１１が設けてあり、係合部５１１が位置決め部３１１のうちの一つに係合し、本実施例では、係合部５１１は貫通孔５１の半径方向へ伸縮可能なスチール玉である。
【００２１】
前記受け具６０は、ツマミ３０にある回転ピン３１に挿入されてツマミ３０と連動するようになり、硬貨収容部６１と、逆止用溝６２とを有し、前記硬貨収容部６１は、制御具５０にある止め部５２を収容し、ベース部４０にある規制具４４に合わせられ、且つ硬貨収容部６１が止め部５２と合って連動するようになり、逆止用溝６２はベース部４０の逆止具４３と合って受け具６０の回転方向を規制し、受け具６０は制御具５０にある調節部５３に応じて貫通孔６３が開設してある。
【００２２】
前記蓋７０は、ベース部４０とケース２０とに組み付けられ、ツマミ３０にある回転ピン３１がそれを貫入して外側に伸び、回転ピン３１の蓋７０に伸びて突出する一端にギア７１が組付けてあり、蓋７０はベース部４０にある規制具４４に応じて押付具７２が組付けてあり、押付具７２は、硬貨を押付けて硬貨がベース部４０にある規制具４４をスムーズに通過するためのものであり、また、蓋７０は、制御具５０にある調節部５３と、受け具６０にある貫通孔６３とに応じて貫通孔７３が開設してあり、調節具７４を脱着自在に係止し、調節具７４の一端が制御具５０にある調節部５３と合わせられ、本実施例では、調節具７４の調節部５３と合う一端には外ねじが成形してあり、なお、前記調節部５３はねじ穴である。
【００２３】
本考案の硬貨入れ装置は、硬貨Ｃの入れ可能な数量を調整可能であるものであり、図４と図５に示すように、調節具７４の外ねじを有する一端を、蓋７０にある貫通孔７３と、受け具６０にある貫通孔６３とに貫入した後、制御具５０のねじ穴である調節部５３に螺着し、そうすると、制御具５０にある係合部５１１が回転ピン３１にある各位置決め部３１１に位置するように、調節具７４によって制御具５０を引いて移動することができ、且つ調節具７４を調整すると制御具５０にある係合部５１１が適当な位置決め部３１１に位置するようになり、これにより、制御具５０が回転ピン３１に位置決められ、ひいては制御具５０と受け具６０との相対位置が調節され、そうすると、止め部５２と硬貨収容部６１との間の入れ可能な硬貨数量を調整することが可能になり、図４に示すのは、止め部５２と硬貨収容部６１との間の入れ可能な硬貨数量が４枚であり、図５に示すのは、止め部５２と硬貨収容部６１との間の入れ可能な硬貨数量が１枚である。
【００２４】
次に、本考案の硬貨Ｃの作動プロセスを詳細に説明する。止め部５２と硬貨収容部６１との間の入れ可能な硬貨数量が１枚である場合には、図６に示すように、ツマミ３０を回転し、その回転ピン３１が制御具５０と受け具６０とを連動して、止め部５２と硬貨Ｃとが規制具４４の硬貨真偽鑑定部４４１に押付けて、図７に示すように、受け具６０の硬貨収容部６１が規制部４４をスムーズに通過して、図８に示すように、ツマミ３０をもっと回転し、その回転ピン３１が制御具５０と受け具６０とを継続に連動すると、前記硬貨Ｃが硬貨収容部６１から落下するようになる。
【００２５】
なお、止め部５２と硬貨収容部６１との間の入れ可能な硬貨数量が４枚である場合には、図９に示すように、ツマミ３０を回転し、その回転ピン３１が制御具５０と受け具６０とを連動して、硬貨Ｃとが規制具４４の硬貨真偽鑑定部４４１に押付けて、図１０に示すように、受け具６０の硬貨収容部６１が規制部４４をスムーズに通過して、図１１に示すように、ツマミ３０をもっと回転し、その回転ピン３１が制御具５０と受け具６０とを継続に連動すると、前記硬貨Ｃが硬貨収容部６１から落下するようになる。
【００２６】
また、本考案の実施形態２によれば、入れ可能な硬貨数量を調整可能な目的を達成することもできる。本考案の実施形態２の硬貨入れ装置は、図１２に示すように、ケース２０と、ツマミ３０と、ベース部４０と、制御具５０と、挟係具Ｘと、保持ピンＹと、バネＺと、受け具６０と、蓋７０とを含む。
【００２７】
前記ツマミ３０は、回転ピン３１を有し、前記ツマミ３０にある回転ピン３１がケース２０に挿入される。
【００２８】
前記ベース部４０は、ケース２０に組み付けられ、ツマミ３０の回転ピン３１がそれに貫入され、且つ硬貨返却具４１と、硬貨止め部４２と、逆止具４３と、規制具４４と、二つの磁石４５とが組付けてあり、硬貨返却具４１と硬貨止め部４２との組合により硬貨を返却することができ、硬貨返却具４１を押して作動させるために、硬貨返却具４１の一部がケース２０の外部に突出し、硬貨の通過をスムーズにするために、硬貨止め部４２には硬貨入れ斜面４２１が設けてあり、逆止具４３は、ベース部４０に枢着され、且つバネ４３１を有し、バネ４３１をベース部４０に押付けると、逆止具４３が回転ピン３１の方向へ回転するようになり、規制具４４は、バネ４４２を有する硬貨真偽鑑定部４４１が若干に設けてあり、本実施例では、硬貨真偽鑑定部４４１が４個あり、各硬貨真偽鑑定部４４１は、ベース部４０に規制され、ベース部４０に回動自在に組み付けられ、各硬貨真偽鑑定部４４１は、そのバネ４４２がベース部４０に押付けられると、回転ピン３１の方向へ回転するようになり、二つの磁石４５がベース部４０の硬貨入れ口に組み付けられ、鉄製の偽造硬貨を吸着する機能を発揮する。
【００２９】
前記制御具５０は、貫通孔５１と、止め部５２と、ネック部５４とを含み、ツマミ３０の回転ピン３１が貫通孔５１に挿入され、且つ前記ネック部５４の直径は貫通孔５１よりも大きく、前記ネック部５４が貫通孔５１と同心である。
【００３０】
前記挟係具Ｘは、一端が制御具５０にあるネック５４と合って制御端Ｘ１に成形され、制御端Ｘ１がネック５４に挟係され、前記挟係具Ｘの他端が貫通孔Ｘ３を有する溝Ｘ２に成形される。
【００３１】
前記保持ピンＹは、挟係具Ｘにある貫通孔Ｘ３に合わせられ、一端に立設壁Ｙ１が半径方向に立設され、他端が外ねじ端Ｙ２に成形され、立設壁Ｙ１が挟係具Ｘにある溝Ｘ２に合わせられ、保持ピンＹの外ねじ端Ｙ２が挟係具Ｘにある貫通孔Ｘ３を挿通し、そうすると、立設壁Ｙ１が挟係具Ｘにある溝Ｘ２に規制され、且つ保持ピンＹにある外ねじ端Ｙ２がベース部４０に貫入する。
【００３２】
前記バネＺは、保持ピンＹを嵌め、ベース部４０と挟係具Ｘとの間に圧縮され、弾性力によりベース部４０と挟係具Ｘとが付勢される。
【００３３】
前記受け具６０は、ツマミ３０にある回転ピン３１に挿入されてツマミ３０と連動するようになり、硬貨収容部６１と、逆止用溝６２とを有し、前記硬貨収容部６１は、制御具５０にある止め部５２を収容し、ベース部４０にある規制具４４に合わせられ、且つ硬貨収容部６１が止め部５２と合って連動するようになり、逆止用溝６２はベース部４０の逆止具４３と合って受け具６０の回転方向を規制する。
【００３４】
前記蓋７０は、ベース部４０とケース２０とに組み付けられ、ツマミ３０にある回転ピン３１がそれを貫入して外側に伸び、回転ピン３１の蓋７０に伸びて突出する一端にギア７１が組付けてあり、蓋７０はベース部４０にある規制具４４に応じて押付具７２が組付けてあり、押付具７２は、硬貨を押付けて硬貨がベース部４０にある規制具４４をスムーズに通過するためのものであり、また、蓋７０には保持ピンＹの周面に応じて環状の立設壁Ｖが設けてあり、立設壁Ｖは保持ピンＹの軸方向に沿って深さの異なる凹み部Ｖ１が若干に成形され、本実施例では、凹み部Ｖ１が４個あり、前記４個の凹み部Ｖ１が立設壁Ｖに等距離に設けられ、また、保持ピンＹの蓋７０から伸び出した一端には調節ツマミＷが組付けてあり、保持ピンＹの外ねじ端Ｙ２が調節ツマミＷに螺着され、調節ツマミＷには立設壁Ｖの凹み部Ｖ１に応じて凸部Ｗ１が成形してあり、凸部Ｗ１が立設壁Ｖの凹み部Ｖ１のうちの一つに係合される。
【００３５】
本考案の硬貨入れ装置は、硬貨の入れ可能な数量を調整可能であるものであり、図１３乃至図１５に示すように、凸部Ｗ１を立設壁Ｖにある凹み部Ｖ１から離脱するように、調節ツマミＷを回転し、バネＺを圧縮して、調節ツマミＷを適当な高さを持つ凹み部Ｖ１に調整した場合には、調節ツマミＷを放して、バネＺの回復力により凸部Ｗ１が適当の凹み部Ｖ１に係合されるようになり、調節ツマミＷと立設壁Ｖとの相対距離を変更することにより、保持ピンＹと挟係具Ｘとが連動され、且つ挟係具Ｘの制御端Ｘ１によって制御具５０を連動すると、制御具５０と受け具６０との相対距離が調節され、そうすると、止め部５２と硬貨収容部６１との間の入れ可能な硬貨数量を調整することが可能になり、図１４に示すのは、止め部５２と硬貨収容部６１との間の入れ可能な硬貨数量が４枚であり、図１５に示すのは、止め部５２と硬貨収容部６１との間の入れ可能な硬貨数量が１枚である。
【００３６】
上記の二つの実施例の硬貨止め部４２は全て硬貨入れ斜面４２１を有し、次に、調節ツマミＷを使用する実施例により硬貨入れ斜面４２１の機能を説明する。図１６と図１７に示すように、硬貨Ｃを硬貨入れ装置に入れたときに、硬貨Ｃは、ベース部４０から硬貨止め部４２に落下して、硬貨止め部４２の硬貨入れ斜面４２１から受け具６０にある硬貨収容部６１に摺動して落下して、硬貨止め部４２に当接するようになり、図１６に示すように、もう一つの硬貨Ｃ１を硬貨入れ装置に入れたときに、硬貨Ｃ１は、硬貨止め部４２に落下して、硬貨止め部４２の硬貨入れ斜面４２１から摺動して落下して、硬貨止め部４２にある硬貨Ｃに当接し、硬貨Ｃが硬貨Ｃ１に衝突されて制御具５０にある止め部５２に移動するようになり、図１７に示すように、本考案の硬貨入れ斜面４２１によれば、硬貨の硬貨入れ装置における移動はもっと順調になる効果がある。
【図面の簡単な説明】
【００３７】
【図１】従来の硬貨入れ装置がガシャポンに組み付けられた状態を示す概略図である。
【図２】従来の硬貨入れ装置の分解斜視図である。
【図３】本考案の調節具が組み付けられた硬貨入れ装置の分解斜視図である。
【図４】図３における受け具に硬貨を４枚放置した状態を示す概略図である。
【図５】図３における受け具に硬貨を１枚放置した状態を示す概略図である。
【図６】図３の硬貨入れ装置に硬貨を１枚入れ可能な状態を示す概略図である。
【図７】図６におけるツマミを回転して硬貨が規制具を通過する状態を示す概略図である。
【図８】図７におけるツマミを回転して硬貨が落下した状態を示す概略図である。
【図９】図６の硬貨入れ装置に硬貨を４枚入れ可能な状態を示す概略図である。
【図１０】図９におけるツマミを回転して硬貨が規制具を通過する状態を示す概略図である。
【図１１】図１０におけるツマミを回転して硬貨が落下した状態を示す概略図である。
【図１２】調節ツマミが組み付けられた本考案の実施例の分解斜視図である。
【図１３】図１２における受け具に硬貨を４枚放置した状態を示す一部の概略図である。
【図１４】図１２における受け具に硬貨を４枚放置した状態を示す概略図である。
【図１５】図１２における受け具に硬貨を１枚放置した状態を示す概略図である。
【図１６】図１２における硬貨が硬貨入れ斜面を経由して落下することを示す概略図である。
【図１７】別の硬貨を図１６における硬貨入れ装置に入れて上記硬貨に押付ける状態を示す概略図である。
【符号の説明】
【００３８】
１０      硬貨入れ装置
１１      ケース
１２      制御部
１２１    受け具
１３      硬貨返却部
Ａ        ガシャポン
２０      ケース
３０      ツマミ
３１      回転ピン
３１１    位置決め部
４０      ベース部
４１      硬貨返却具
４２      硬貨止め部
４２１    硬貨入れ斜面
４３      逆止具
４３１    バネ
４４      規制具
４４１    硬貨真偽鑑定部
４４２    バネ
４５      磁石
５０      制御具
５１      貫通孔
５１１    係合部
５２      止め部
５３      調節部
５４      ネック部
６０      受け具
６１      硬貨収容部
６２      逆止用溝
６３      貫通孔
７０      蓋
７１      ギア
７２      押付具
７３      貫通孔
７４      調節具
Ｖ        立設壁
Ｖ１      凹み部
Ｗ        調節ツマミ
Ｗ１      凸部
Ｘ        挟係具
Ｘ１      制御端
Ｘ２      溝
Ｘ３      貫通孔
Ｙ        保持ピン
Ｙ        立設壁
Ｙ２      外ねじ端
Ｚ        バネ
Ｃ        硬貨
Ｃ１      硬貨
【図１】
0003129677.tif 000003
【図２】
0003129677.tif 000004
【図３】
0003129677.tif 000005
【図４】
0003129677.tif 000006
【図５】
0003129677.tif 000007
【図６】
0003129677.tif 000008
【図７】
0003129677.tif 000009
【図８】
0003129677.tif 000010
【図９】
0003129677.tif 000011
【図１０】
0003129677.tif 000012
【図１１】
0003129677.tif 000013
【図１２】
0003129677.tif 000014
【図１３】
0003129677.tif 000015
【図１４】
0003129677.tif 000016
【図１５】
0003129677.tif 000017
【図１６】
0003129677.tif 000018
【図１７】
0003129677.tif 000019